(57)【特許請求の範囲】
【請求項１】
少なくとも映像データを含む番組の放送電波を受信する放送受信部と、
前記番組の放送日時の情報と前記映像データの解像度の情報とが含まれる番組情報を取得する番組情報取得部と、
前記映像データに応じた画像を表示部に表示すると共に、前記映像データの解像度の情報に基づいて視聴することができないと判定した第１の番組と、前記映像データの解像度の情報に基づいて視聴することができると判定した第２の番組とを識別可能とする表示処理部と、
を備え、
前記表示処理部は、
前記放送日時の情報に基づいて複数の前記番組を配列した電子番組表を生成する番組表生成部、
を備え、
前記番組表生成部は、
前記第１の番組が表される前記電子番組表内の第１の領域に、視聴することができない番組であることを示した前記電子番組表を生成して、前記表示部に表示する、
デジタル放送受信装置。
【請求項２】
前記デジタル放送受信装置は、設置型のテレビジョン受像機であり、
前記解像度の情報は、前記放送電波により伝送されるイベント情報テーブルの映像コンポーネント記述子に含まれ、映像信号の垂直方向の解像度についての情報が記述される映像信号解像度の情報であり、
前記映像信号解像度の情報は、映像信号の垂直方向の解像度についての情報が、当該解像度が大きくなると値が大きくなる正の整数値で記述され、
前記表示処理部は、前記整数値が閾値以上である場合に、当該閾値が示す解像度以上の映像データの画像を再生する機能を自装置が有しないので、視聴することができない第１の番組であると判定する
請求項１に記載のデジタル放送受信装置。
【請求項３】
前記番組表生成部は、
前記第１の領域の表示と、前記第２の番組が表される前記電子番組表内の第２の領域の表示とを異なる表示にする、
請求項２に記載のデジタル放送受信装置。
【請求項４】
前記番組表生成部は、
前記第１の領域の色を、前記第２の領域の色と異なる色で表す、
請求項３に記載のデジタル放送受信装置。
【請求項５】
前記番組表生成部は、
前記第１の領域を灰色で表す、
請求項４に記載のデジタル放送受信装置。
【請求項６】
前記番組表生成部は、
前記第１の領域内に、該第１の領域に配列される前記番組に対応する前記番組情報に含まれる情報を表示しない、
請求項３から請求項５のいずれか１の項に記載のデジタル放送受信装置。
【請求項７】
前記番組表生成部は、
前記第１の領域内に、視聴することができない番組であること明示するためのメッセージを表示する、
請求項３から請求項６のいずれか１の項に記載のデジタル放送受信装置。
【請求項８】
前記番組表生成部は、
前記第１の領域が選択された際に前記メッセージを表示する、
請求項７に記載のデジタル放送受信装置。
【請求項９】
前記表示処理部は、
前記第１の番組を選択することができないようにする、
請求項１から請求項８のいずれか１の項に記載のデジタル放送受信装置。
【請求項１０】
前記表示処理部は、
前記第１の番組が視聴することができない番組であること明示するためのメッセージを表示する、
請求項９に記載のデジタル放送受信装置。
【請求項１１】
少なくとも映像データを含む番組の放送電波を受信する放送受信ステップと、
前記番組の放送日時の情報と前記映像データの解像度の情報とが含まれる番組情報を取得する番組情報取得ステップと、
前記映像データに応じた画像を表示部に表示する共に、前記映像データの解像度の情報に基づいて当該解像度の映像データの画像を再生する機能を有しないので視聴することができないと判定した第１の番組と、前記映像データの解像度の情報に基づいて視聴することができると判定した第２の番組とを識別可能とする表示処理ステップと、
を含み、
前記表示処理ステップは、
前記放送日時の情報に基づいて複数の前記番組を配列した電子番組表を生成する番組表生成ステップ、
を含み、
前記番組表生成ステップでは、
前記第１の番組が表される前記電子番組表内の第１の領域に、視聴することができない番組であることを示した前記電子番組表を生成して、前記表示部に表示する、
デジタル放送受信方法。
【請求項１２】
少なくとも映像データを含む番組の放送電波を受信する放送受信ステップと、
前記番組の放送日時の情報と前記映像データの解像度の情報とが含まれる番組情報を取得する番組情報取得ステップと、
前記映像データに応じた画像を表示部に表示する共に、前記映像データの解像度の情報に基づいて当該解像度の映像データの画像を再生する機能を有しないので視聴することができないと判定した第１の番組と、前記映像データの解像度の情報に基づいて視聴することができると判定した第２の番組とを識別可能とする表示処理ステップと、
をコンピュータに実行させ、
前記表示処理ステップは、
前記放送日時の情報に基づいて複数の前記番組を配列した電子番組表を生成する番組表生成ステップ、
を含み、
前記番組表生成ステップでは、
前記第１の番組が表される前記電子番組表内の第１の領域に、視聴することができない番組であることを示した前記電子番組表を生成して、前記表示部に表示する、
プログラム。
【発明の詳細な説明】
【技術分野】
【０００１】
本発明は、デジタル放送受信装置、デジタル放送受信方法、およびプログラムに関する。
【背景技術】
【０００２】
テレビジョン放送においては、地上波放送、衛星放送、専用回線を用いて、映像および音声のデータをデジタル化した番組（以下、「映像コンテンツ」という）の放送が普及している。そして、近年では、複数の映像コンテンツの放送が、多数の放送事業者（例えば、放送局など）で行われている。なお、１つの放送事業者で放送する映像コンテンツは１つである場合もあるが、１つの放送事業者が複数のチャンネルで同じ時間帯に複数の映像コンテンツを放送している場合もある。このため、映像コンテンツを受信するデジタル放送受信装置であるテレビジョン受像機、いわゆる、テレビでは、多数の放送事業者やチャンネルで放送される映像コンテンツ（番組）の放送予定時間や番組の内容を視聴者であるテレビのユーザーに提示するための電子番組表（ＥＰＧ、Ｅｌｅｃｔｒｏｎｉｃ  Ｐｒｏｇｒａｍ  Ｇｕｉｄｅ）を生成する機能を備えている。ユーザーは、電子番組表に示されたいずれかの放送事業者やチャンネルを選択することによって、所望の番組を視聴することができる。
【０００３】
しかしながら、テレビにおいて常に全ての映像コンテンツ（番組）を視聴することができるとは限らない。特許文献１には、例えば、降雨減衰などの要因で衛星放送の放送電波の受信状況が悪化して受信することができなくなってしまった番組を、電子番組表で選択して視聴することができる番組の選択肢から外すことによって、視聴することができない番組をユーザーに報知する放送受信装置の技術が開示されている。
【先行技術文献】
【特許文献】
【０００４】
【特許文献１】特開２０１１−０７１７２５号公報
【発明の概要】
【発明が解決しようとする課題】
【０００５】
ところで、近年では、映像コンテンツの高精細化が進んでおり、映像コンテンツに含まれる映像データが高解像度化し、従来のＶＧＡサイズ（６４０×４８０サイズ）の解像度から、フルＨＤサイズ（１９２０×１０８０サイズ）の解像度が主流になっている。また、さらに高解像度化した４Ｋサイズ（例えば、３８４０×２１６０サイズ）の解像度をもつ映像コンテンツの放送も実用化されてきている。そして、４Ｋサイズの解像度をさらに高解像度化した８Ｋサイズ（例えば、８１９２×４３２０サイズ）の解像度も計画されている。このため、例えば、テレビに備えているデコーダ、いわゆる、チューナーがそれぞれの解像度の放送電波を受信する機能を備えていない場合には、放送電波の受信状況が良好である場合でも、高解像度の映像コンテンツを視聴することができないことが考えられる。
【０００６】
しかしながら、高解像度の映像コンテンツの放送電波を受信することができるデコーダの開発には、時間を要してしまう。また、デコーダを開発した場合であっても、デコーダ自体やテレビに備えた表示パネル（例えば、液晶パネル）のコストが高くなり、テレビの価格が高くなってしまう、という問題がある。
【０００７】
本発明は、上記の課題に基づいてなされたものであり、映像コンテンツの解像度によって視聴することができない番組を報知することができるデジタル放送受信装置、デジタル放送受信方法、およびプログラムを提供することを目的としている。
【課題を解決するための手段】
【０００８】
上記の課題を解決するため、本発明のデジタル放送受信装置は、少なくとも映像データを含む番組の放送電波を受信する放送受信部と、前記番組の放送日時の情報と前記映像データの解像度の情報とが含まれる番組情報を取得する番組情報取得部と、前記映像データに応じた画像を表示部に表示すると共に、前記映像データの解像度の情報に基づいて視聴することができないと判定した第１の番組と、前記映像データの解像度の情報に基づいて視聴することができると判定した第２の番組とを識別可能とする表示処理部と、を備える。
【０００９】
また、本発明のデジタル放送受信装置における前記表示処理部は、前記放送日時の情報に基づいて複数の前記番組を配列した電子番組表を生成する番組表生成部、を備え、前記番組表生成部は、前記第１の番組が表される前記電子番組表内の第１の領域に、視聴することができない番組であることを示した前記電子番組表を生成して、前記表示部に表示する。
【００１０】
また、本発明のデジタル放送受信装置における前記番組表生成部は、前記第１の領域の表示と、前記第２の番組が表される前記電子番組表内の第２の領域の表示とを異なる表示にする。
【００１１】
また、本発明のデジタル放送受信装置における前記番組表生成部は、前記第１の領域の色を、前記第２の領域の色と異なる色で表す。
【００１２】
また、本発明のデジタル放送受信装置における前記番組表生成部は、前記第１の領域を灰色で表す。
【００１３】
また、本発明のデジタル放送受信装置における前記番組表生成部は、前記第１の領域内に、該第１の領域に配列される前記番組に対応する前記番組情報に含まれる情報を表示しない。
【００１４】
また、本発明のデジタル放送受信装置における前記番組表生成部は、前記第１の領域内に、視聴することができない番組であること明示するためのメッセージを表示する。
【００１５】
また、本発明のデジタル放送受信装置における前記番組表生成部は、前記第１の領域が選択された際に前記メッセージを表示する。
【００１６】
また、本発明のデジタル放送受信装置における前記表示処理部は、前記第１の番組を選択することができないようにする。
【００１７】
また、本発明のデジタル放送受信装置における前記表示処理部は、前記第１の番組が視聴することができない番組であること明示するためのメッセージを表示する。
【００１８】
また、本発明のデジタル放送受信方法は、少なくとも映像データを含む番組の放送電波を受信する放送受信ステップと、前記番組の放送日時の情報と前記映像データの解像度の情報とが含まれる番組情報を取得する番組情報取得ステップと、前記映像データに応じた画像を表示部に表示する共に、前記映像データの解像度の情報に基づいて視聴することができないと判定した第１の番組と、前記映像データの解像度の情報に基づいて視聴することができると判定した第２の番組とを識別可能とする表示処理ステップと、を含む。
【００１９】
また、本発明のプログラムは、少なくとも映像データを含む番組の放送電波を受信する放送受信ステップと、前記番組の放送日時の情報と前記映像データの解像度の情報とが含まれる番組情報を取得する番組情報取得ステップと、前記映像データに応じた画像を表示部に表示する共に、前記映像データの解像度の情報に基づいて視聴することができないと判定した第１の番組と、前記映像データの解像度の情報に基づいて視聴することができると判定した第２の番組とを識別可能とする表示処理ステップと、をコンピュータに実行させる。
【発明の効果】
【００２０】
本発明によれば、映像コンテンツの解像度によって視聴することができない番組を報知することができるデジタル放送受信装置、デジタル放送受信方法、およびプログラムを提供することができるという効果が得られる。
【図面の簡単な説明】
【００２１】
【図１】本発明の実施形態におけるデジタル放送システムの概略構成を示したブロック図である。
【図２】本実施形態に係るＭＨ−イベント情報テーブルのデータ構造を説明する図である。
【図３】本実施形態に係るＭＨ−短形式イベント記述子のデータ構造を説明する図である。
【図４】本実施形態に係るＭＨ−拡張形式イベント記述子のデータ構造を説明する図である。
【図５】本実施形態に係る映像コンポーネント記述子のデータ構造を説明する図である。
【図６】本実施形態に係る映像コンポーネント記述子における映像信号解像度の値の構造を説明する図である。
【図７】本実施形態におけるデジタル放送受信装置の構成の一例を示したブロック図である。
【図８】本実施形態のデジタル放送受信装置において電子番組表を生成する処理の処理手順を示したフローチャートである。
【図９】本実施形態のデジタル放送受信装置において生成した電子番組表の一例を模式的に示した図である。
【発明を実施するための形態】
【００２２】
以下、本発明の実施形態について、図面を参照して説明する。なお、以下の説明においては、本発明のデジタル放送受信装置を、単に「受信装置」という。図１は、本発明の実施形態におけるデジタル放送システムの概略構成を示したブロック図である。デジタル放送システム１は、受信装置１０と、送信装置２０とを含んで構成されている。デジタル放送システム１において、受信装置１０と、送信装置２０との台数は、一般的にそれぞれ複数であるが、以下の説明においては、説明を容易にするため、受信装置１０と、送信装置２０との台数が、それぞれ１台であるデジタル放送システム１の場合について説明する。また、以下の説明では、デジタル放送システム１におけるデジタル放送のメディアトランスポート方式として、ＭＭＴ（ＭＰＥＧ  Ｍｅｄｉａ  Ｔｒａｎｓｐｏｒｔ）方式が採用されている場合について説明する。
【００２３】
送信装置２０は、番組データｉ１と番組配列情報ｉ２とを多重化した放送電波を送信する、例えば、放送局などの放送事業者に備えられた送信装置である。番組データｉ１は、少なくとも映像データおよび音声データの一方のデータが含まれる番組のコンテンツデータである。なお、以下の説明においては、番組データｉ１が、映像データおよび音声データの両方のデータを含む映像コンテンツであるものとして説明する。なお、番組データｉ１に含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００２４】
また、番組配列情報ｉ２は、映像コンテンツである番組データｉ１、つまり、放送される番組に関する付帯情報である。より具体的には、番組配列情報ｉ２には、例えば、番組識別情報と、放送日時情報とが含まれている。ここで、番組識別情報は、例えば、放送される番組の種類、内容、分量、および配列などの番組を識別する情報である。また、放送日時情報は、番組の放送日時を示す情報である。また、番組配列情報ｉ２には、電子番組表ｉ３を生成する際に用いられる種々の情報が含まれている。
【００２５】
送信装置２０から送信された放送電波は、地上波、ケーブルのような有線伝送路、または放送衛星を介して受信装置１０に伝送される。図１には、放送電波が放送衛星ＢＳを介して伝送される場合を示している。
【００２６】
受信装置１０は、放送衛星ＢＳを介して伝送される種々の情報を受信するデジタル放送受信装置である。以下の説明では、受信装置１０が、テレビジョン受像機（テレビ）であるものとして説明する。つまり、受信装置１０は、送信装置２０から送信された放送電波を受信し、受信した放送電波に含まれる映像コンテンツである番組データｉ１を表示パネルに表示するテレビである。また、受信装置１０は、受信した放送電波に含まれる番組配列情報ｉ２に基づいて、電子番組表ｉ３を生成し、生成した電子番組表ｉ３を表示パネルに表示する。
【００２７】
次に、番組配列情報ｉ２の一例について説明する。本実施形態において番組配列情報ｉ２には、ＭＭＴ方式によって送信される放送電波に関する各種テーブルを含んでいる。本実施形態に係る番組配列情報ｉ２には、少なくともＭＨ−イベント情報テーブル（ＭＨ−Ｅｖｅｎｔ  Ｉｎｆｏｒｍａｔｉｏｎ  Ｔａｂｌｅ：ＭＨ−ＥＩＴ）を含んでいる。ＭＨ−イベント情報テーブルは、番組の名称、放送日時、放送内容の説明など、番組に関する種々の情報が含まれたテーブルである。
【００２８】
ここで、番組配列情報ｉ２に含まれるＭＨ−イベント情報テーブル（以下、「ＭＨ−ＥＩＴ」という）およびこのＭＨ−ＥＩＴにおける記述子のデータ構造について説明する。なお、以下の説明においては、説明を容易にするため、電子番組表ｉ３の表示に関するＭＨ−ＥＩＴ内の一部の記述子についてのみ説明する。しかし、デジタル放送システム１では、ＭＭＴ方式における全てのテーブルを扱うことができる。
【００２９】
＜ＭＨ−ＥＩＴのデータ構造＞
図２は、本実施形態に係るＭＨ−イベント情報テーブル（ＭＨ−ＥＩＴ）のデータ構造を説明する図である。ＭＨ−ＥＩＴは、送信装置２０から送信される放送電波の構成の情報を表す構成要素の一つであり、上述したように、放送される番組の名称、放送日時などの番組に関する情報を表している。図２示したように、ＭＨ−ＥＩＴ（ＭＨ−Ｅｖｅｎｔ＿Ｉｎｆｏｒｍａｔｉｏｎ＿Ｔａｂｌｅ（））には、イベント識別（ｅｖｅｎｔ＿ｉｄ）、開始時刻（ｓｔａｒｔ＿ｔｉｍｅ）、および継続時間（ｄｕｒａｔｉｏｎ）を含んでいる。イベント識別には、例えば、番組の識別情報などを表す、イベントの識別番号が示される。また、開始時刻には、イベントの開始時刻、つまり、番組の開始時刻（日時）が示される。また、継続時間は、イベントの継続時間、つまり、番組の放送時間の長さが示される。
【００３０】
また、ＭＨ−ＥＩＴ（ＭＨ−Ｅｖｅｎｔ＿Ｉｎｆｏｒｍａｔｉｏｎ＿Ｔａｂｌｅ（））には、イベント識別ごとに記述子領域（ｄｅｓｃｒｉｐｔｏｒ（））が設けられている。記述子領域（ｄｅｓｃｒｉｐｔｏｒ（））は、記述子を格納する領域である。本実施形態に係るＭＨ−ＥＩＴには、ＭＨ−短形式イベント記述子、およびＭＨ−拡張形式イベント記述子を含んでいる。このＭＨ−短形式イベント記述子、およびＭＨ−拡張形式イベント記述子に、番組名や番組の説明などの情報が記述される。また、本実施形態に係るＭＨ−ＥＩＴ（ＭＨ−Ｅｖｅｎｔ＿Ｉｎｆｏｒｍａｔｉｏｎ＿Ｔａｂｌｅ（））には、映像コンポーネント記述子を含んでいる。この映像コンポーネント記述子に、番組の映像データの解像度などの情報が記述される。
【００３１】
＜ＭＨ−短形式イベント記述子のデータ構造＞
図３は、本実施形態に係るＭＨ−短形式イベント記述子のデータ構造を説明する図である。図３示したように、ＭＨ−短形式イベント記述子（ＭＨ−Ｓｈｏｒｔ＿Ｅｖｅｎｔ＿Ｄｅｓｃｒｉｐｔｏｒ（））には、番組名（ｅｖｅｎｔ＿ｎａｍｅ＿ｃｈａｒ）、および番組記述（ｔｅｘｔ＿ｃｈａｒ）を含んでいる。番組名には、番組の名称が記述される。番組記述には、番組の説明が記述される。
【００３２】
＜ＭＨ−拡張形式イベント記述子のデータ構造＞
図４は、本実施形態に係るＭＨ−拡張形式イベント記述子のデータ構造を説明する図である。図４示したように、ＭＨ−拡張形式イベント記述子（ＭＨ−Ｅｘｔｅｎｄｅｄ＿Ｅｖｅｎｔ＿Ｄｅｓｃｒｉｐｔｏｒ（））には、項目ごとの項目名（文字符号）（ｉｔｅｍ＿ｄｅｓｃｒｉｐｔｉｏｎ＿ｃｈａｒ）、および項目記述（文字符号）（ｉｔｅｍ＿ｃｈａｒ）を含んでいる。項目名（文字符号）には、項目の名称が記述される。項目記述（文字符号）には、項目の内容が記述される。一般的に、項目名（文字符号）と項目記述（文字符号）とによって、番組の配役のリストが記述される。例えば、項目名「プロデューサー」であり、項目記述「日本  太郎」である場合、その項目名（文字符号）と項目記述（文字符号）とは、番組のプロデューサーが日本太郎であることを表している。
【００３３】
また、ＭＨ−拡張形式イベント記述子（ＭＨ−Ｅｘｔｅｎｄｅｄ＿Ｅｖｅｎｔ＿Ｄｅｓｃｒｉｐｔｏｒ（））には、拡張記述（文字符号）（ｔｅｘｔ＿ｃｈａｒ）を含んでいる。拡張記述（文字符号）には、項目なしの番組についての情報が記述される。
【００３４】
＜映像コンポーネント記述子のデータ構造＞
図５は、本実施形態に係る映像コンポーネント記述子のデータ構造を説明する図である。図５示したように、映像コンポーネント記述子（Ｖｉｄｅｏ＿Ｃｏｍｐｏｎｅｎｔ＿Ｄｅｓｃｒｉｐｔｏｒ（））には、映像信号解像度（ｖｉｄｅｏ＿ｒｅｓｏｌｕｔｉｏｎ）を含んでいる。映像信号解像度には、映像信号の垂直方向の解像度についての情報が記述される。
【００３５】
＜映像信号解像度のデータ構造＞
図６は、本実施形態に係る映像コンポーネント記述子における映像信号解像度の値の構造を説明する図である。図６示したように、映像信号解像度の値のそれぞれには、映像信号の垂直方向の解像度が割り当てられている。例えば、映像信号解像度の値が「６」である場合、映像信号の垂直方向の解像度が「２１６０」である、つまり、受信した映像信号が４Ｋサイズ（例えば、３８４０×２１６０）の解像度であることを示している。また、例えば、映像信号解像度の値が「７」である場合、映像信号の垂直方向の解像度が「４３２０」である、つまり、受信した映像信号が８Ｋサイズ（例えば、８１９２×４３２０）の解像度であることを示している。
【００３６】
受信装置１０は、上述したような番組配列情報ｉ２と、映像コンテンツである番組データｉ１とが多重化された放送電波を受信する。そして、受信装置１０は、受信した番組データｉ１に含まれる映像データに応じた画像を表示パネルに表示する。また、受信装置１０は、受信した番組配列情報ｉ２に基づいて生成した電子番組表ｉ３の画像を表示パネルに表示する。
【００３７】
次に、受信装置１０の構成について説明する。図７は、本実施形態におけるデジタル放送受信装置（受信装置１０）の構成の一例を示したブロック図である。受信装置１０は、放送受信部１１と、赤外線通信部１２と、音声出力部１３と、表示部１４と、記憶部１５と、制御部１６とを備えている。また、制御部１６は、復調部１６１と、分離部１６２と、音声処理部１６３と、表示処理部１６４とを備えている。また、表示処理部１６４は、映像処理部１６４１と、番組表生成部１６４２とを含んで構成されている。
【００３８】
放送受信部１１は、各チャンネルの放送電波を受信し、受信したそれぞれの放送電波を予め定めた一定の周波数の放送信号（例えば、トランスポートストリーム）に変換して出力するチューナーを含んで構成される。放送受信部１１は、送信装置２０から送信された放送電波を受信する。そして、放送受信部１１は、受信した放送電波を変換した放送信号を、制御部１６に備えた復調部１６１に出力する。
【００３９】
赤外線通信部１２は、例えば、受信装置１０のユーザーである視聴者が受信装置１０を制御するために操作するリモートコントローラＲＣとの間で赤外線通信を行う通信部である。赤外線通信部１２は、リモートコントローラＲＣから送信された、リモートコントローラＲＣが受け付けたユーザーの操作を表す情報が含まれた赤外線送信信号を受信する。赤外線通信部１２は、受信した赤外線送信信号に含まれるユーザーによる操作内容の情報を制御部１６に出力する。
【００４０】
音声出力部１３は、入力された音声信号に応じた音を発生させるスピーカーを含んで構成される。音声出力部１３は、制御部１６に備えた音声処理部１６３から出力された音声信号に応じた音声とかの音響、つまり、映像コンテンツに含まれる音声データに応じた音声とかの音響を発生させる。
【００４１】
表示部１４は、入力された画像信号に応じた画像を表示する、例えば、液晶パネル、有機ＥＬパネルなどの表示パネルを含んで構成される。表示部１４は、制御部１６に備えた表示処理部１６４から出力された画像信号に応じた画像、つまり、映像コンテンツに含まれる映像データの画像や、電子番組表ｉ３の画像を表示する。
【００４２】
記憶部１５は、制御部１６または制御部１６内の構成要素が種々の処理を実行するためのプログラムや、処理に使用するデータを記憶する。記憶部１５は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリを含んで構成される。なお、記憶部１５は、その他のメモリや、ＨＤＤ（Ｈａｒｄ  ｄｉｓｋ  ｄｒｉｖｅ）などの記憶装置を含んで構成してもよい。また、記憶部１５は、受信装置１０に備えたＣＰＵ（Ｃｅｎｔｒａｌ  Ｐｒｏｃｅｓｓｉｎｇ  Ｕｎｉｔ）が実行するための各種プログラムや、ＣＰＵが実行している途中または処理の結果などを記憶してもよい。また、記憶部１５は、例えば、放送受信部１１が出力した放送信号や、音声処理部１６３が出力する音声信号と表示処理部１６４が出力する画像信号とを対応づけた信号に応じたデータを記憶するメモリ、いわゆる、ビデオメモリを含んで構成してもよい。
【００４３】
制御部１６は、放送受信部１１から出力された放送信号に対して種々の処理を行って、放送信号に含まれる番組データｉ１に対応する音声信号および画像信号を生成する。そして、制御部１６は、生成した音声信号を音声出力部１３に、画像信号を表示部１４にそれぞれ出力する。また、制御部１６は、放送受信部１１から出力された放送信号に含まれる番組配列情報ｉ２に基づいて電子番組表ｉ３の画像信号を生成し、表示部１４に出力する。
【００４４】
復調部１６１は、放送受信部１１から出力された放送信号（例えば、トランスポートストリーム）を復調する。復調部１６１は、復調した放送信号を分離部１６２に出力する。なお、復調部１６１が出力する放送信号は、番組データｉ１と番組配列情報ｉ２とが多重化された状態の信号である。
【００４５】
分離部１６２は、復調部１６１から出力された放送信号（例えば、復調部１６１によって復調されたトランスポートストリーム）に含まれる番組データｉ１と番組配列情報ｉ２とを分離する。そして、分離部１６２は、放送信号から分離した番組配列情報ｉ２を、表示処理部１６４に備えた番組表生成部１６４２に出力する。また、分離部１６２は、分離した番組データｉ１から、音声データと映像データとを抽出する。そして、分離部１６２は、番組データｉ１から抽出した音声データを音声処理部１６３に、映像データを表示処理部１６４に備えた映像処理部１６４１にそれぞれ出力する。なお、分離部１６２が抽出する音声データと映像データとは、予め定めた符号化方式で符号化されている状態のデータである。なお、番組データｉ１に音声データまたは映像データのいずれか一方のデータのみが含まれる場合には、分離部１６２は、分離したいずれか一方のデータを、対応する音声処理部１６３または映像処理部１６４１のいずれか一方に出力する。
【００４６】
音声処理部１６３は、分離部１６２から出力された音声データに対して、音声データが符号化された符号化方式（例えば、ＭＰＥＧ−４オーディオ）に対応する予め定めた復号化方式で復号した音声信号（例えば、ストリーム形式の音声信号）を生成する。音声処理部１６３は、生成した（復号化した）音声信号を音声出力部１３に出力する。なお、音声処理部１６３は、赤外線通信部１２から出力された操作内容の情報に含まれる、選択された番組の音声データを復号した音声信号を生成して音声出力部１３に出力する。
【００４７】
表示処理部１６４は、分離部１６２から出力された映像データに基づいた画像信号、分離部１６２から出力された番組配列情報ｉ２に基づいた電子番組表ｉ３の画像信号を生成し、生成した画像信号を表示部１４に出力する。例えば、表示処理部１６４は、赤外線通信部１２から出力された操作内容の情報に含まれる選択された番組の映像データに基づいた画像信号を生成して表示部１４に出力する。また、表示処理部１６４は、赤外線通信部１２から出力された操作内容の情報に含まれる電子番組表の表示の指示に応じて電子番組表ｉ３の画像信号を生成して表示部１４に出力する。
【００４８】
映像処理部１６４１は、分離部１６２から出力された映像データに対して、映像データが符号化された符号化方式（例えば、ＨＥＶＣ）に対応する予め定めた復号化方式で復号した画像信号（例えば、ストリーム形式の画像信号）を生成する。映像処理部１６４１は、生成した（復号化した）画像信号を表示部１４に出力する。なお、映像処理部１６４１は、赤外線通信部１２から出力された操作内容の情報により分離部１６２において分離・選択された番組の映像データを復号した画像信号を生成して表示部１４に出力する。
【００４９】
番組表生成部１６４２は、分離部１６２から出力された番組配列情報ｉ２に基づいて、電子番組表ｉ３の画像信号を生成する。番組表生成部１６４２は、生成した電子番組表ｉ３の画像信号を表示部１４に出力する。より具体的には、分離部１６２から出力された番組配列情報ｉ２に含まれるＭＨ−ＥＩＴに基づいて電子番組表ｉ３の画像信号を生成して表示部１４に出力する。
【００５０】
ここで、番組表生成部１６４２がＭＨ−ＥＩＴに基づいて電子番組表ｉ３を生成する処理の概要について説明する。まず、番組表生成部１６４２は、分離部１６２から出力された番組配列情報ｉ２に含まれるＭＨ−ＥＩＴから、番組識別情報と放送日時情報とを取得する。より具体的には、番組表生成部１６４２は、ＭＨ−ＥＩＴに含まれるイベント識別（ｅｖｅｎｔ＿ｉｄ）に記述されたイベントの識別番号を、番組識別情報として取得する。また、番組表生成部１６４２は、ＭＨ−ＥＩＴに含まれる開始時刻（ｓｔａｒｔ＿ｔｉｍｅ）に記述されたイベントの開始時刻と、継続時間（ｄｕｒａｔｉｏｎ）に記述されたイベントの継続時間とを、放送日時情報として取得する。続いて、番組表生成部１６４２は、取得した放送日時情報に基づいて、電子番組表ｉ３において各番組を割り当てる領域、すなわち、電子番組表ｉ３における各番組の枠組みを生成する。そして、番組表生成部１６４２は、割り当てた領域（枠組み）に、取得した番組識別情報のデータを配置する。番組表生成部１６４２は、このような電子番組表ｉ３を生成する処理を、分離部１６２から出力された番組配列情報ｉ２の数、すなわち、放送受信部１１が受信したそれぞれのチャンネルの放送電波に対して繰り返し、最終的な電子番組表ｉ３を生成する。そして、番組表生成部１６４２は、生成した最終的な電子番組表ｉ３の画像信号を表示部１４に出力する。
【００５１】
ところで、放送受信部１１が多重化して送信する放送電波に含まれる番組データｉ１には、様々な解像度の映像データが含まれている。そして、受信装置１０は、高解像度の番組に対応していない場合もある。例えば、受信装置１０に備えた表示部１４では、高解像度の映像データに応じた画像を表示することができないことが考えられる。また、例えば、受信装置１０に備えた映像処理部１６４１では、分離部１６２によって抽出された高解像度の映像データを復号することができないことも考えられる。また、例えば、受信装置１０に備えた放送受信部１１が、そもそも高解像度の映像データが含まれる放送電波を受信することができない場合もある。このような場合、受信装置１０では、ユーザーが選択した番組の視聴ができないことになる。このため、番組表生成部１６４２は、受信装置１０によって視聴することができない高解像度の映像の番組に割り当てられた領域（枠組み）を、他の番組に割り当てられた領域（枠組み）と異なる表示にした電子番組表ｉ３を生成する。つまり、番組表生成部１６４２は、受信装置１０によって視聴することができる番組と視聴することができない番組とを区別して識別することができるようにした電子番組表ｉ３を生成する。これにより、番組表生成部１６４２は、視聴することができない番組をユーザーに報知する。
【００５２】
なお、視聴することができない番組をユーザーに報知するために電子番組表ｉ３内の枠組みの表示を変更する方法としては、例えば、視聴することができない番組の枠組みを灰色にすることによって目立たなくさせる、つまり、グレーダウンする方法がある。また、その他にも、例えば、視聴することができない番組の枠組みの色を視聴することができる番組の枠組みの色と異なる色にする、視聴することができない番組の枠組み内に番組識別情報のデータを配置しない（つまり、番組名や番組の説明などの情報を表示しない）などの方法もある。また、例えば、視聴することができない番組の枠組み内に、「この番組は受信できません」など、視聴することができない番組であることを表すメッセージを表示する方法もある。なお、このようなメッセージは、例えば、ユーザーがリモートコントローラＲＣを操作して、視聴することができない番組であることを表している枠組みを選択したときに表示させてもよい。
【００５３】
また、電子番組表ｉ３内に表示された枠組み（番組）を選択する場合には、選択している番組を示すために電子番組表ｉ３に重畳されたカーソルを、リモートコントローラＲＣを操作して移動させて選択することができる。この場合には、視聴することができない番組の枠組みを飛ばす（スキップさせる）ことによって、視聴することができない番組を選択することができないようにしてもよい。この場合、例えば、視聴することができない番組の枠組みを飛ばしたことを表すメッセージ（例えば、「選択できない番組をスキップしました」など）を、電子番組表ｉ３に重畳して表示させてもよい。
【００５４】
なお、上述したような方法のいずれによって、視聴することができない番組をユーザーに報知するかは、例えば、受信装置１０の初期設定のときなどに、リモートコントローラＲＣを操作することによって、ユーザーが受信装置１０に設定する構成にしてもよい。
【００５５】
このような構成によって、受信装置１０は、受信した映像コンテンツの解像度によって視聴することができない番組をユーザーに報知する。
【００５６】
次に、番組表生成部１６４２による電子番組表ｉ３の生成処理について、さらに詳細に説明する。図８は、本実施形態のデジタル放送受信装置（受信装置１０）において電子番組表ｉ３を生成する処理の処理手順を示したフローチャートである。なお、番組表生成部１６４２による電子番組表ｉ３の生成処理は、例えば、ユーザーがリモートコントローラＲＣを操作して電子番組表を表示させる指示を受信装置１０に出し、赤外線通信部１２が、リモートコントローラＲＣからの赤外線送信信号を受信して、電子番組表を表示させる指示を受け付けたことを表す操作内容の情報が制御部１６に出力されてから開始される。
【００５７】
電子番組表を表示させる指示を受け付けたことを表す操作内容の情報が制御部１６に入力されると、まず、制御部１６は、放送受信部１１から出力された放送信号を復調部１６１で復調し、復調した放送信号に含まれる番組データｉ１と番組配列情報ｉ２とを分離部１６２で分離することによって、放送信号から番組配列情報ｉ２を抽出する（ステップＳ１０１）。
【００５８】
続いて、番組表生成部１６４２は、分離部１６２から出力された番組配列情報ｉ２に含まれるＭＨ−ＥＩＴから番組識別情報と放送日時情報とを取得する。そして、番組表生成部１６４２は、取得した放送日時情報に基づいて、電子番組表ｉ３の枠組みを構成する（ステップＳ１０２）。このとき、番組表生成部１６４２は、取得した番組識別情報のデータ、すなわち、電子番組表ｉ３の対応する枠組みに表示する番組名や番組の説明などの情報を配置する。
【００５９】
続いて、番組表生成部１６４２は、電子番組表ｉ３に構成したそれぞれの枠組みの番組について、映像データの解像度の判定処理（以下、「映像データ判定処理」という）を行う（ステップＳ１０３）。映像データ判定処理では、まず、構成した枠組みに対応する番組配列情報ｉ２に含まれるＭＨ−ＥＩＴから、映像コンポーネント記述子内の映像信号解像度の値を取得する。そして、取得した映像信号解像度の値が、視聴することができる、すなわち、表示部１４に表示することができる解像度の値であるか否かを判定する（ステップＳ１０４）。なお、図６に示したように、映像信号解像度の値は、その値が大きくなるほど映像信号の垂直方向の解像度が高くなる。従って、ステップＳ１０４において行う番組が視聴することができるか否かの判定では、映像信号解像度の値が、表示部１４に表示することができる解像度の値以下の値である場合に現在判定を行っている枠組みの映像データの画像、すなわち、この枠組みの番組を視聴することができると判定し、表示部１４に表示することができる解像度の値よりも大きい値である場合にこの枠組みの番組を視聴することができないと判定する。
【００６０】
なお、ステップＳ１０４における番組が視聴することができるか否かの判定は、例えば、番組表生成部１６４２に備えた比較部が、取得した映像信号解像度の値と、例えば、記憶部１５に記憶されている、表示部１４に表示することができる解像度の値と比較することによって行う構成であってもよい。
【００６１】
ステップＳ１０４の判定によって、現在判定を行っている枠組みの番組が視聴することができる解像度の番組であると判定した場合（ステップＳ１０４の“ＹＥＳ”）には、番組表生成部１６４２は、電子番組表ｉ３に構成した次の枠組みの番組について、映像データ判定処理を繰り返す。
【００６２】
一方、ステップＳ１０４の判定によって、現在処理を行っている枠組みの番組が視聴することができる解像度の番組でないと判定した場合（ステップＳ１０４の“ＮＯ”）には、番組表生成部１６４２は、現在判定を行っている枠組みの表示を変更する（ステップＳ１０５）。そして、番組表生成部１６４２は、電子番組表ｉ３に構成した次の枠組みの番組について、映像データ判定処理を繰り返す。
【００６３】
なお、ステップＳ１０５における枠組みの表示の変更は、例えば、番組表生成部１６４２に備えた番組表更新部が、現在判定を行っている枠組みの表示を更新する構成であってもよい。
【００６４】
このように、番組表生成部１６４２は、映像データ判定処理（ステップＳ１０３）を繰り返し、電子番組表ｉ３に枠組みを構成した全ての番組に対して映像データの解像度の判定を行う。そして、全ての番組に対して映像データの解像度の判定が終了すると、番組表生成部１６４２は、生成した電子番組表ｉ３を表示部１４に出力（ステップＳ１０６）してユーザーに提示し、電子番組表ｉ３の生成処理を終了する。
【００６５】
このような処理手順によって番組表生成部１６４２、つまり、受信装置１０は、受信した映像コンテンツの解像度に基づいて、視聴することができる番組と視聴することができない番組とで、それぞれの枠組みの表示を変更した電子番組表ｉ３を生成してユーザーに提示（報知）する。これにより、ユーザーは、電子番組表ｉ３の表示から、番組を視聴することができるか否かを視覚的に確認することができる。
【００６６】
ここで、番組表生成部１６４２が生成して表示部１４に表示する電子番組表ｉ３の一例について説明する。図９は、本実施形態のデジタル放送受信装置（受信装置１０）において生成した電子番組表ｉ３の一例を模式的に示した図である。なお、以下の説明においては、受信装置１０が４Ｋサイズの解像度の番組を視聴することができる機能を持ったテレビであるものとして説明する。図９に示した電子番組表ｉ３の一例では、１つの放送事業者（放送局）が３つのチャンネルでそれぞれの番組を放送している場合を示している。
【００６７】
図９に示したように、電子番組表ｉ３では、各チャンネルの名称が受信装置１０に表示された電子番組表ｉ３の上から１段目の行に示され、番組の放送時刻が電子番組表ｉ３の左端の列に示される。そして、電子番組表ｉ３において各番組の放送日時は、上から１段目の行に示されたチャンネルの名称と、左端の列に示された放送時刻とによって定まる枠により表される。なお、放送局などの放送事業者が多数ある場合、図９において１段目に示したチャンネルの上部に、各チャンネルで番組を放送する放送局の名称などを示してもよい。
【００６８】
ユーザーが電子番組表を表示させる指示を受信装置１０に出した場合、受信装置１０に備えた番組表生成部１６４２は、上述した電子番組表ｉ３の生成処理を行って、構成したそれぞれの枠組みに番組識別情報を配置した電子番組表ｉ３を生成する。図９に示した一例では、放送局がそれぞれのチャンネルで４Ｋサイズの解像度の番組を放送する場合と、それぞれのチャンネルで８Ｋサイズの解像度の番組を放送する場合の一例を示している。より具体的には、図９に示した一例では、「７」時〜「９」時の間に、チャンネルＡで４Ｋサイズの番組Ｐ１１（「おはようジャパン」）を、チャンネルＢで４Ｋサイズの番組Ｐ１２（「モーニングニュース」）を、チャンネルＣで４Ｋサイズの番組Ｐ１３（「今日の天気」）を放送する場合の一例を示している。また、図９に示した一例では、「９」時〜「１２」時の間に、チャンネルＡ〜チャンネルＣの全てのチャンネルで８Ｋサイズの番組Ｐ２１（「スポーツ」）を放送する場合の一例を示している。また、図９に示した一例では、「１２」時〜「１３」時の間に、チャンネルＡで４Ｋサイズの番組Ｐ３１（「こんにちはジャパン」）を、チャンネルＢで８Ｋサイズの番組Ｐ３２（「こんにちはジャパン」）を、チャンネルＣで４Ｋサイズの番組Ｐ３３（「午後の天気」）を放送する場合の一例を示している。
【００６９】
そして、番組表生成部１６４２は、番組配列情報ｉ２に含まれるＭＨ−ＥＩＴから、映像コンポーネント記述子内の映像信号解像度の値を取得して、受信装置１０では視聴することができない番組が配置された枠組みの表示を変更する。図９に示した一例では、受信装置１０が４Ｋサイズの解像度の番組を視聴することができる機能を持っている、つまり、８Ｋサイズの解像度の番組を視聴することができないテレビである。このため、番組表生成部１６４２は、図９に示したように、視聴することができない８Ｋサイズの番組Ｐ２１および番組Ｐ３２の枠組みと、視聴することができる４Ｋサイズの番組Ｐ１１、番組Ｐ１２、番組Ｐ１３、番組Ｐ３１、および番組Ｐ３３の枠組みとを区別して識別することができるようにした電子番組表ｉ３を生成して表示部１４に表示させる。図９に示した一例では、８Ｋサイズの番組をグレーダウンした電子番組表ｉ３を生成して表示部１４に表示させる場合を示している。
【００７０】
図９の一例に示したように、番組表生成部１６４２は、視聴することができない番組の枠組みの表示を変更することによって、電子番組表ｉ３内にユーザーが視聴することができない番組が含まれていることを視覚的に示す（報知する）。これにより、ユーザーは、電子番組表ｉ３を確認することによって、視聴することができない番組を容易に認識することができる。
【００７１】
なお、図９に示した一例では、チャンネルＡとチャンネルＢとにおいて「１２」時〜「１３」時の間に放送される番組Ｐ３１と番組Ｐ３２とは同じ内容の番組であるが、映像データの解像度が異なるため、枠組みの表示を異ならせている。しかし、番組Ｐ３１と番組Ｐ３２との映像データの解像度が共に同じ解像度（例えば、４Ｋサイズ）である場合には、枠組みの表示を同じにすることもできる。この場合、番組Ｐ３１と番組Ｐ３２とを、１つの枠組みで表してもよい。
【００７２】
なお、上述したように、視聴することができない番組をユーザーに示す（報知する）方法には、視聴することができない番組の枠組みをグレーダウンする方法以外にも、枠組みの色を変更する方法、枠組み内に番組識別情報のデータを配置（表示）しない方法、視聴することができない番組であることを表すメッセージを表示する方法など、様々な方法がある。しかし、これらの方法の場合でも、図９に示した一例（番組の枠組みをグレーダウンする方法）と同様に考えることができる。従って、番組の枠組みをグレーダウンする方法以外の方法によって視聴することができない番組をユーザーに示す（報知する）一例に関しての説明は省略する。
【００７３】
上記に述べたとおり、本発明を実施するための形態によれば、受信した放送電波に多重化された番組データに付随する番組情報に含まれる、映像データの解像度を表す情報に基づいて、解像度の要因で視聴することができない番組を、ユーザーに報知する。より具体的には、放送電波に関するＭＨ−イベント情報テーブルに含まれる、映像コンポーネント記述子内の映像信号解像度に記述された映像信号解像度の値に基づいて、視聴することができる番組と視聴することができない番組とを区別して表した電子番組表を生成して表示部に表示する。これにより、ユーザーは、表示された電子番組表を確認することによって、視聴することができない番組を容易に確認（認識）することができる。
【００７４】
なお、本発明を実施するための形態では、番組表生成部１６４２が電子番組表ｉ３の枠組みを構成した後に、それぞれの枠組みの番組について、映像データの解像度を判定する映像データ判定処理を行う場合について説明した。しかし、番組表生成部１６４２において行う映像データ判定処理は、本発明を実施するための形態において示した情報に限定されるものではない。例えば、番組表生成部１６４２が枠組みを構成するときに映像データ判定処理を行って、電子番組表ｉ３の対応する枠組みに番組名や番組の説明などの情報を配置する際には、すでに映像信号解像度の値に基づいて視聴することができる番組と視聴することができない番組とを区別されている状態としてもよい。
【００７５】
なお、本発明を実施するための形態では、電子番組表を表示させる指示が受信装置１０に出されたときに、電子番組表の生成処理を開始する場合について説明した。しかし、電子番組表を生成するタイミング、つまり、電子番組表の生成処理を開始するタイミングは、本発明を実施するための形態において示したタイミングに限定されるものではない。例えば、番組表生成部１６４２が、予め定めた時間間隔や、放送電波に多重化された番組情報が更新されたときに、予め電子番組表を作成（更新）しておくこともできる。この場合、予め生成した電子番組表の画像信号を記憶部１５に記憶しておき、電子番組表を表示させる指示が受信装置１０に出されたときに、番組表生成部１６４２が記憶部１５に記憶されている電子番組表の画像信号を読み出して表示部１４に出力することによって、より早く電子番組表をユーザーに提示することができる。
【００７６】
また、予め電子番組表を作成（更新）しておく場合には、例えば、予め定めた電子番組表に含まれる視聴することができない番組を放送する放送局やチャンネルと、番組の放送時刻との情報を、電子番組表の画像信号とは別に記憶部１５に記憶しておくこともできる。これにより、例えば、番組の視聴中にユーザーがリモートコントローラＲＣの数字ボタンや、隣接するチャンネルに切り替えるための選局ボタン（チャンネルボタン）を操作して、視聴する番組を直接選択しようとした場合でも、視聴することができない番組を選択できないようにすることができる。なお、視聴することができない番組を選択できないようにする方法としては、例えば、視聴することができない番組を飛ばして（スキップして）、視聴することができる次の番組を選択する方法がある。この場合、例えば、視聴することができない番組の枠組みを飛ばしたことを表すメッセージを表示させてもよい。また、例えば、視聴することができない番組を選択するリモートコントローラＲＣの操作を受け付けない、つまり、ユーザーの操作に反応しないようにする方法もある。また、例えば、視聴することができない番組が選択された場合に、「この番組は受信できません」など、選択した番組が視聴することができない番組であることを表すメッセージを表示して、現在選択されている（視聴している）番組から変更しない方法もある。
【００７７】
また、本発明を実施するための形態では、デジタル放送システム１におけるデジタル放送のメディアトランスポート方式としてＭＭＴ方式が採用されている場合について説明したが、デジタル放送システム１において採用されるメディアトランスポート方式は、本発明を実施するための形態において示した方式に限定されるものではない。例えば、デジタル放送システム１におけるデジタル放送のメディアトランスポート方式として、ＭＰＥＧ−２  ＴＳ（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ）方式やＲＴＰ（Ｒｅａｌ−ｔｉｍｅ  Ｔｒａｎｓｐｏｒｔ  Ｐｒｏｔｏｃｏｌ）方式を採用してもよい。
【００７８】
また、本発明を実施するための形態では、番組配列情報ｉ２が、番組データｉ１と多重化された放送電波によって送信される場合について説明したが、番組配列情報ｉ２が送信される方法、つまり、受信装置１０が番組配列情報ｉ２を取得する方法は、本発明を実施するための形態において示した方法に限定されるものではない。例えば、受信装置１０は、デジタル放送システム１の構成として含まれたサーバ装置との通信によって番組配列情報ｉ２を取得してもよい。
【００７９】
また、本発明を実施するための形態では、受信装置１０が、テレビジョン受像機（テレビ）である場合について説明したが、受信装置１０の形態は、本発明を実施するための形態において示した方法に限定されるものではない。例えば、受信装置１０を携帯電話などの移動端末に備えてもよい。このとき、例えば、携帯端末に備えた音声出力部、表示部、記憶部を、受信装置１０に備えた音声出力部１３、表示部１４、記憶部１５として使用する構成にしてもよい。
【００８０】
なお、例えば、図７に示した受信装置１０の一部、例えば、制御部１６や、制御部１６に備えた表示処理部１６４内の番組表生成部１６４２による処理を実現するためのプログラムを、コンピュータ読み取り可能な記録媒体に記録して、当該記録媒体に記録されたプログラムをコンピュータシステムに読み込ませ、実行することにより、本実施形態の受信装置１０や番組表生成部１６４２に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【００８２】
また、本実施形態の受信装置１０の一部、例えば、制御部１６や、制御部１６に備えた表示処理部１６４内の番組表生成部１６４２、または全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８３】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００８４】
１・・・デジタル放送システム
１０・・・受信装置（デジタル放送受信装置）
１１・・・放送受信部（デジタル放送受信装置，放送受信部）
１２・・・赤外線通信部（デジタル放送受信装置）
１３・・・音声出力部（デジタル放送受信装置）
１４・・・表示部（デジタル放送受信装置）
１５・・・記憶部（デジタル放送受信装置）
１６・・・制御部（デジタル放送受信装置，番組情報取得部，表示処理部，番組表生成部）
１６１・・・復調部（デジタル放送受信装置，番組情報取得部）
１６２・・・分離部（デジタル放送受信装置，番組情報取得部）
１６３・・・音声処理部（デジタル放送受信装置）
１６４・・・表示処理部（デジタル放送受信装置，表示処理部）
１６４１・・・映像処理部（デジタル放送受信装置，表示処理部）
１６４２・・・番組表生成部（デジタル放送受信装置，表示処理部，番組表生成部）
２０・・・送信装置
ｉ１・・・番組データ（映像データ）
ｉ２・・・番組情報
ｉ３・・・電子番組表
ＢＳ・・・放送衛星
ＲＣ・・・リモートコントローラ
Ｐ１１，Ｐ１２，Ｐ１３，Ｐ３１，Ｐ３３・・・番組（第２の番組）
Ｐ２１，Ｐ３２・・・番組（第１の番組）
【図１】
0006555798.tif 000002
【図２】
0006555798.tif 000003
【図３】
0006555798.tif 000004
【図４】
0006555798.tif 000005
【図５】
0006555798.tif 000006
【図６】
0006555798.tif 000007
【図７】
0006555798.tif 000008
【図８】
0006555798.tif 000009
【図９】
0006555798.tif 000010